(57)【要約】【課題】趣向性が高く、不正がされにくい遊技機を提供することを課題とする。【解決手段】進入部３０ａを凹部２４ｂに進入する凹凸構造を設けることにより、前面通路３０と本体側通路Ａとの接続箇所に対する異物の進入を防止することができる。進入部３０ａと凹部２４ｂが入り組むことにより、これらの間の隙間形状を略コの字状に屈曲させることができる。従って、進入部３０ａの内側における遊技球が流通通路に対して外部から異物が進入することが防止できる。【選択図】図４
2008229400.tif 000002
【特許請求の範囲】
【請求項１】
前面側に遊技領域が形成される本体部の上部に外部装置から遊技球が供給される供給部
を備える遊技機において、
上記本体部において上記供給部から流入した遊技球を流下させる本体側通路と、
上記本体部の前面において同本体部に対して回動可能に支持される窓枠と、
上記窓枠に取り付けられ、上記遊技領域が閉鎖するように上記窓枠を回動させたとき上
記本体枠側通路と接続可能な前面通路と、
上記本体部と上記窓枠のそれぞれに備えられ、上記遊技領域が閉鎖するように上記窓枠
を回動させたとき上記本体側通路と上記前面通路の接続箇所の周囲において互いに入り組
む凹凸構造とを具備することを特徴とする遊技機。
【発明の詳細な説明】
【技術分野】
【０００１】
本発明は、上部に外部装置から遊技球が供給される供給部を備える遊技機に関する。
【背景技術】
【０００２】
従来、この種の遊技機として、遊技機の背面側に遊技球の払い出し通路を形成したもの
が知られている（例えば、特許文献１、図２、参照。）。
【０００３】
かかる構成によれば、払い出し通路中に払い出し装置が備えられるため、タンクに貯留
された遊技球のうち指定された数量だけを払い出すことが可能であった。払い出された遊
技球は前面側に案内されて、遊技に使用される。
【特許文献１】特開２００４−０７３７１９号公報
【発明の開示】
【発明が解決しようとする課題】
【０００４】
上述した従来の遊技機において、遊技球が遊技者の視認不可能な通路を流通して払い出
されることから、面白みが少ないという課題があった。これに対して、遊技球の通路を遊
技者が視認可能な前面側に配置することにより、趣向性の高い遊技球を提供することがで
きる。しかしながら、遊技球の通路を前面側に設けると、同通路に対して前面側から不正
を行うことが可能になり、遊技球の数量が不正に操作されてしまうという課題があった。
【０００５】
本発明は、上記課題にかんがみてなされたもので、趣向性が高く、不正がされにくい遊
技機の提供を目的とする。
【課題を解決するための手段】
【０００６】
上記目的を達成するため、請求項１にかかる発明では、前面側に遊技領域が形成される
本体部の上部に外部装置から遊技球が供給される供給部を備える遊技機において、上記本
体部において上記供給部から流入した遊技球を流下させる本体側通路と、上記本体部の前
面において同本体部に対して回動可能に支持される窓枠と、上記窓枠に取り付けられ、上
記遊技領域が閉鎖するように上記窓枠を回動させたとき上記本体枠側通路と接続可能な前
面通路と、上記本体部と上記窓枠のそれぞれに備えられ、上記遊技領域が閉鎖するように
上記窓枠を回動させたとき上記本体側通路と上記前面通路の接続箇所の周囲において互い
に入り組む凹凸構造とを具備する構成としてある。
【０００７】
上記のように構成した請求項１の発明において、供給部が遊技機における本体部の上部
に備えられ、同供給部に対して外部装置から遊技球が供給される。上記本体部には上記供
給部から流入した遊技球を流下させる本体側通路が備えられるため、同本体部における所
定の箇所に遊技球を案内することができる。一方、上記本体部の前面側には、同本体部に
対して回動可能な窓枠が支持される。そして、上記窓枠を回動させることにより、上記本
体部の前面側に形成された遊技領域を前面側から閉鎖することができる。従って、遊技を
行う場合には上記遊技領域を閉鎖して同遊技領域に対する不正を防止することができると
ともに、メンテナンスを行う場合には上記遊技領域を開放させることができる。上記窓枠
には前面通路が取り付けられる。
【０００８】
そして、上記前面通路は、上記遊技領域が閉鎖するように上記窓枠を回動させたとき上
記本体枠側通路と接続する。これにより、上記供給部に供給された遊技球を、上記本体側
通路を経由して上記前面通路に案内することができる。このように、上記前面通路に遊技
球を案内することにより、上記本体部の前面側に備えられる上記窓枠において遊技球を流
下させることができ、趣向性を向上させることができる。上記本体部と上記窓枠のそれぞ
れに凹凸構造が備えられる。そして、この凹凸構造は、上記遊技領域が閉鎖するように上
記窓枠を回動させたとき、上記本体側通路と上記前面通路の接続箇所の周囲において互い
に入り組む。これにより、上記凹凸構造によって上記本体側通路と上記前面通路の接続箇
所を保護することができ、同接続箇所に対して不正が及ぼされることが防止できる。
【０００９】
本発明は、上記の構成に限られるものではなく、以下の手段も含むものである。
【００１０】
手段１
手段１にかかる発明は、請求項１に記載した発明において、上記前面通路を構成する筒
状の壁面の端部が上記本体部に上記凹凸構造として形成された凹部に対して入り組む構成
としてある。
【００１１】
すなわち、上記前面通路を構成する筒状の壁面自体を上記本体部に形成された凹部に入
り組ませるようにしてもよい。このようにすることにより、上記本体部に対して上記前面
通路が入り組んで接続することとなるため、上記前面通路の内側に対して不正が加えられ
ることが防止できる。ただし、かかる構成は上記凹凸構造の一例を示したものにすぎず、
例えば上記窓枠に形成された凹部に対して上記本体側通路の壁面が入り組むようにしても
よい。
【００１２】
手段２
手段２にかかる発明は、請求項１に記載した発明において、上記本体部には上記遊技領
域が前面側に形成された遊技盤が備えられるとともに、
上記凹部は上記遊技盤を切削して形成される構成としてある。
【００１３】
すなわち、上記本体部に上記遊技領域が前面側に形成された遊技盤が備えられ、同遊技
盤を切削することにより上記凹部が形成される。上記遊技盤は、入賞穴やアウト穴等を形
成するためにルータ等によって切削加工されることとなるが、その際に上記凹部も形成し
ておくことができる。
【００１４】
手段３
手段３にかかる発明は、請求項１に記載した発明において、上記本体部には上記遊技領
域が前面側に形成された遊技盤が備えられるとともに、
上記凹部は上記遊技盤に装着可能な部材に形成される構成としてある。
【００１５】
すなわち、上記本体部に上記遊技領域が前面側に形成された遊技盤が備えられ、この遊
技盤に対して上記凹部が形成された部材を装着するようにしてもよい。なお、上記部材は
独立部材として取り付けられてもよいし、他の部材と一体化されてもよい。
【００１６】
手段４
手段４にかかる発明は、請求項１に記載した発明において、上記凹凸構造が入り組むこ
とにより上記前面通路が二重構造となることを特徴とする構成としてある。
【００１７】
すなわち、上記凹凸構造が入り組むことにより、上記前面通路が二重構造となれば、同
前面通路の密閉性を向上させることができる。
【００１８】
手段５
手段５にかかる発明は、請求項１に記載した発明において、上記遊技機は遊技球を遊技
媒体とするとともに、上記遊技領域にてドラムが回転させられるパチロットである構成と
してある。
【００１９】
すなわち、本発明をパチロットにも適用することができる。なお、パチロットは、メダ
ルの代わりに一定数のパチンコ球を使用して絵合わせを行うものでありパチンコ機とスロ
ットマシンの両方の特徴を備えた遊技機である。このようなパチロットも、遊技球の払い
出しが行われるため、本発明を適用することができる。
【発明の効果】
【００２０】
以上説明したように、請求項１にかかる発明によれば、趣向性が高く、不正がされにく
い遊技機を提供することができる。
【００２１】
手段１にかかる発明によれば、簡易な構造で不正を防止することができる。
【００２２】
手段２にかかる発明によれば、遊技盤の切削加工時に凹部を形成しておくことができる
。
【００２３】
手段３にかかる発明によれば、遊技盤の切削加工を容易化させることができる。
【００２４】
手段４にかかる発明によれば、前面通路自体を保護することができる。
【００２５】
手段５にかかる発明によれば、趣向性が高く、不正がされにくいパチロットを提供する
ことができる。
【発明を実施するための最良の形態】
【００２６】
ここでは、下記の順序に従って本発明の実施形態について説明する。
（１）第一の実施形態：
（２）第二の実施形態：
（３）第三の実施形態：
（４）第四の実施形態：
（５）第五の実施形態：
（６）第六の実施形態：
（７）まとめ：
（１）第一の実施形態：
図１は、本発明の第一の実施形態にかかるパチンコ遊技機を斜めから見て示している。
同図において、パチンコ遊技機１０は、木材によって矩形枠状に形成された外枠１１を有
しており、同外枠１１をホール等に固定することにより正立した状態で設置される。外枠
１１の内側には合成樹脂等で形成された矩形枠状の本体枠１２が嵌め込まれている。本体
枠１２の前面側には、同本体枠１２と回動可能な本発明の窓枠としてのガラス枠１３が枢
支されている。ガラス枠１３は中央部に窓穴１３ｄを有しており、同開口からガラス１３
ａが露出するように保持されている。なお、本体枠１２と外枠１１と遊技盤２４とが本発
明にいう本体部を構成する。
【００２７】
ガラス１３ａは透視可能であり、ガラス１３ａの内側を視認することが可能となってい
る。本体枠１２は矩形開口を有しており、同矩形開口にて木材で形成された矩形板状の遊
技盤２４が保持されている。そして、前面側からガラス１３ａを透視することにより、そ
の内側に保持された遊技盤２４の様子を視認することが可能となっている。遊技盤２４の
前面には、模様が形成された化粧シートが張り合わせられるとともに、略円環状の遊技レ
ールが立設することにより遊技領域２５が形成されており、同遊技レールおよびガラス枠
１３に囲まれた遊技領域２５にて遊技球を流通させて遊技を行うことができる。ガラス枠
１３における窓穴１３ｄを囲む部分を前方に隆起させることにより略円環畝状の装飾部１
３ｅを設けている。装飾部１３ｅは彩色により模様が形成されるとともに、内部に照明部
材が埋設される。このようにすることにより、装飾部１３ｅによって遊技領域２５の外部
を装飾することができる。ガラス枠１３の下方には、本発明の皿貯留部としての上皿１４
が前面側に向かって突設されており、さらにその下方には下皿１５が前面側に向かって突
設されている。上皿１４および下皿１５は所定の深みを有する皿状に形成されているため
、遊技球を貯留しておくことができる。
【００２８】
下皿１５の側方には半球状の発射ハンドル１６が回動可能に突設されており、同発射ハ
ンドル１６の回動量に応じて遊技球の発射を行うことが可能となっている。発射ハンドル
１６が備えられた部位の内部には発射機構１６ａが備えられている。発射機構１６ａは、
遊技領域まで遊技球を案内するレールと、発射ハンドル１６の回動量に応じて動作する発
射槌を有している。パチンコ遊技機１０の前面側には長い略円筒状の前面通路３０が備え
られており、同前面通路３０を経由して上皿１４に遊技球が供給される。前面通路３０の
上方部分は、略前後方向に配向しており、ガラス枠１３から略前方に突出している。前面
通路３０は、所定量前方にいったところで下方に屈曲されており、以降は略鉛直方向の直
線状となっている。
【００２９】
図２は、ガラス枠１３と前面通路３０の鉛直断面を示している。同図において、前面通
路３０の上方部分は、ガラス枠１３に向かって屈曲されており、同ガラス枠１３を貫通す
るように取り付けられている。前面通路３０の上方部分は緩やかに傾斜しており、内部に
案内された遊技球を底面に沿って前方に流下させることが可能となっている。ガラス枠１
３を貫通した前面通路３０の壁面を、さらに背面側に突出するように延設することにより
進入部３０ａが設けられている。なお、進入部３０ａは略円筒状の前面通路３０の端部を
延設することにより形成されているため、略円筒状となっている。また、背面側の先端か
ら所定の長さ分だけ水平となるように屈曲されている。
【００３０】
図３は、パチンコ遊技機１０を背面側から見て示している。同図において、パチンコ遊
技機１０の背面側には略板状の機構板１７が枢支されており、本体枠１２に保持されてい
る遊技盤２４は同機構板１７によって背面側から覆われている。機構板１７には保護カバ
ー２２が取り付けられており、同保護カバー２２に背面側から覆われるように液晶ユニッ
ト２１や制御ボックス２３が配設されている。液晶ユニット２１は遊技領域の中央部に表
示面を露出させる液晶パネルを駆動するための装置であり、遊技盤２４を貫通するように
取り付けられている。制御ボックス２３はパチンコ遊技機１０の主要な動作を制御する制
御基板を収容する基板ボックスであり、内部の制御基板を強固に封止している。
【００３１】
パチンコ遊技機１０の背面側の上部には遊技球が貯留可能なタンク１８が備えられてい
る、タンク１８は幅方向に長い皿状に形成されており、上方に開口している。タンク１８
は本発明にいう供給部に相当し、同タンク１８はホール等に設置される遊技球供給装置か
ら遊技球の供給を受ける。タンク１８を遊技機における上方部分に備えておくことにより
、遊技球が重力に引かれて流下する勢いを利用して、遊技球を流通させることができる。
タンク１８の底面は紙面右方が低くなるように形成されており、タンク１８内を流下する
遊技球は紙面右方向に流通する。
【００３２】
タンク１８の底面には穴が形成されており、同穴からタンクレール１８ａに遊技球が落
下する。タンクレール１８ａは紙面右側が低くなるように傾斜しており、タンクレール１
８ａに落下した遊技球は紙面右側に流下する。さらに、タンクレール１８ａの紙面右側端
部の下方に備えられた払い出し装置１９に遊技球が落下する。払い出し装置１９は遊技球
の直径程度の内径を有する通路１９ａを有しており、同通路１９ａの側方にて所定形状の
回転体１９ｂが備えられ、同回転体１９ｂの一部が同通路１９ａの内部に突出している。
そして、回転体１９ｂが１／２回転する毎に遊技球を一球下方に送り出すことが可能とな
っている。すなわち、回転体１９ｂの回転量に応じて払い出される遊技球の数量が制御さ
れている。なお、回転体１９ｂの回転量は、制御ボックス２３に収容された制御基板等に
備えられたＣＰＵ等の演算結果に応じて制御されている。
【００３３】
例えば、大当たりが出た場合等には回転体１９ｂを高速に回転させるようにＣＰＵ等が
指令する。逆に、賞球がない場合には、回転体１９ｂを停止させるようにＣＰＵ等が指令
する。通路１９ａは払い出し装置１９の下方に備えられたガイド部材２０の内部に連通し
ており、払い出し装置１９にて払い出された遊技球はガイド部材２０の内部に落下する。
【００３４】
図４は、遊技球の通路を模式的に示している。同図において、ガイド部材２０は内部に
略Ｌ字状の通路２０ａを有しており、通路２０ａの底面は前方になるほど低くなるように
傾斜している。通路２０ａの前方端部は開口しており、底面を伝って流下する遊技球を前
方に排出することが可能となっている。また、通路２０ａの前方端部の開口は、機構板１
７を前後に貫通するように形成された機構板通路１７ａの後端と接続されている。従って
、ガイド部材２０から排出された遊技球は、機構板通路１７ａに導入される。機構板通路
１７ａの底面も前方になるほど低くなるように傾斜しているため、機構板通路１７ａに導
入された遊技球はさらに前方に流下する。
【００３５】
機構板１７は本体枠１２に対して回動可能に枢支されているが、機構板１７と本体枠１
２とが平行となるように機構板１７を回動させることにより、機構板１７と本体枠１２と
が略密着する。このとき、機構板通路１７ａの前端も本体枠１２に背面側から接触し、同
本体枠１２に嵌め込まれた遊技盤２４を前後に貫通するように形成された遊技盤通路２４
ａの後端と接続する。このようにすることにより、機構板通路１７ａを流下した遊技球を
遊技盤通路２４ａに案内することができる。遊技盤通路２４ａの底面も前方になるほど低
くなるように傾斜しているため、遊技盤通路２４ａに導入された遊技球はさらに遊技盤通
路２４ａを前方に流下する。
【００３６】
一方、本体枠１２の前面側に備えられるガラス枠１３には、同ガラス枠１３を前後に貫
通するように前面通路３０が取り付けられている。ガラス枠１３は本体枠１２に対して回
動可能に枢支されているが、本体枠１２に背面側を略密着させ遊技領域２５を前面側から
閉鎖するようにガラス枠１３を回動させたときには、ガラス枠１３と本体枠１２に保持さ
れた遊技盤２４とを平行に略密着させることができる。このとき、ガラス枠１３から背面
側に突設された進入部３０ａは遊技盤２４に接近し、進入部３０ａの先端部分が遊技盤２
４の前面に形成された凹部２４ｂに挿入される。遊技盤２４の前面においては、遊技盤通
路２４ａの開口を正面視において円周状に取り囲むように凹部２４ｂが形成されている。
【００３７】
図５は、遊技領域２５を前面側から閉鎖するようにガラス枠１３を回動させ、進入部３
０ａが凹部２４ｂに進入する直前の様子を示している。同図において、遊技領域２５を前
面側から閉鎖するようにガラス枠１３を回動させることにより、徐々に進入部３０ａは凹
部２４ｂに接近して行く。進入部３０ａの先端部分は水平に形成されているため、一定の
高さで遊技盤２４に対して垂直に接近する。厳密には、進入部３０ａはガラス枠１３とと
もに回動するため、水平方向の円周軌道を描きながら一定の高さで凹部２４ｂに接近する
こととなる。凹部２４ｂは所定の深さを有する溝状に形成されており、木製の遊技盤２４
を前面側から切削して形成されている。凹部２４ｂの径は進入部３０ａの径と同程度とさ
れており、凹部２４ｂの溝幅は進入部３０ａの厚みより余裕を持って大きく形成されてい
るため、進入部３０ａは凹部２４ｂに進入し、入り組んだ状態とすることができる。凹部
２４ｂの溝幅は進入部３０ａの厚みより余裕を持って大きく形成されているため、水平方
向に円周状に移動する進入部３０ａが干渉することなく、進入部３０ａを凹部２４ｂに進
入させることができる。
【００３８】
進入部３０ａが凹部２４ｂに入り込むと、遊技盤通路２４ａの開口が前面通路３０の短
部を構成する進入部３０ａによって外側から取り囲まれることとなるため、遊技盤通路２
４ａから前面通路３０に遊技球を流入させることができる。すなわち、遊技盤通路２４ａ
と前面通路３０とが接続される。前面通路３０の上方部分も前方になるほど低くなるよう
に傾斜しているため、前面通路３０の上方部分に導入された遊技球はさらに前方に流下す
る。
【００３９】
このように、パチンコ遊技機１０を構成する各部材の前後を貫通する機構板通路１７ａ
と遊技盤通路２４ａを形成し、これらを前後に接続することにより、パチンコ遊技機１０
の本体部を前後に貫通する本体側通路Ａを形成することができる。この本体側通路Ａによ
れば遊技球を背面側から前面側に流通させることができるため、払い出し装置１９から払
い出された遊技球を前面側の前面通路３０に流入させることができる。前面通路３０を流
下した遊技球は上皿通路３４を利用して上皿１４に供給することができる。
【００４０】
また、進入部３０ａが凹部２４ｂに進入する凹凸構造を設けることにより、前面通路３
０と本体側通路Ａとの接続箇所に対する異物の進入を防止することができる。図４におい
て、進入部３０ａと凹部２４ｂが噛み合うことにより、これらの間の隙間形状を略コの字
状に屈曲させることができる。従って、進入部３０ａの内側における遊技球が流通通路に
対して外部から異物が進入することが防止できる。遊技領域２５が閉鎖するようにガラス
枠１３を回動させても、本体枠１２と遊技盤２４とから構成される本体部の前面側と、ガ
ラス枠１３の背面側との間にはわずかな隙間が形成されるが、同隙間に沿って進入した長
細い異物を略コの字状に屈曲した隙間形状にて阻止することができる。
【００４１】
（２）第二の実施形態：
図６は、第二の実施形態にかかる前面通路と本体側通路との接続箇所の断面を示してい
る。同図において、前面通路１３０の端部をガラス枠１１３から背面側に突出させること
により、突出部１３０ａが形成されている。突出部１３０ａを外側から円周状に取り囲む
保護部材１９０がガラス枠１１３の背面側に取り付けられている。図７は、保護部材１９
０を斜めから見て示している。同図において、保護部材１９０は円筒状の保護筒１９１を
有しており、同保護筒１９１の内側は軸方向に貫通している。保護筒１９１の一端を径方
向外側に延設することにより、中央が円形に開口するドーナツ板状の取り付け部１９２が
形成されている。取り付け部１９２には複数のネジ穴１９２ａ，１９２ａ，１９２ａが形
成されている。
【００４２】
図６において、取り付け部１９２がガラス枠１１３の背面側に密着するように保護部材
１９０が取り付けられている。ネジ穴１９２ａ，１９２ａ，１９２ａを利用してネジをガ
ラス枠１１３に螺合することにより、保護部材１９０がガラス枠１１３に取り付けられて
いる。保護部材１９０が取り付けられた状態において、突出部１３０ａの端部よりも保護
筒１９１の端部が所定量背面側に位置するように、突出部１３０ａおよび保護筒１９１の
長さが設定されている。また、保護部材１９０が取り付けられた状態において、保護筒１
９１の軸方向は水平となる。なお、本実施形態において突出部１３０ａは背面側の先端ま
で傾斜している。
【００４３】
図８においては、ガラス枠１１３が遊技盤１２４に対して接近するように回動させられ
ており、このとき遊技盤１２４の前面側に形成された遊技領域がガラス枠１１３によって
前面側から閉鎖される。同図において、突出部１３０ａの先端が遊技盤１２４に当接して
いる。突出部１３０ａの背面側端部の位置と、遊技盤通路１２４ａの前面側開口の位置が
一致するように形成されているため、遊技盤通路１２４ａと突出部１３０ａとが接続する
ことができる。突出部１３０ａは遊技盤通路１２４ａの傾斜角度と同様の傾斜角度で先端
まで傾斜しているため、突出部１３０ａと遊技盤通路１２４ａによって、ほぼ連続的な遊
技球通路を形成することができる。従って、突出部１３０ａと遊技盤通路１２４ａとの接
続箇所においても、遊技球を整然と流下させることができ、遊技球の衝突を防止すること
ができる。
【００４４】
一方、突出部１３０ａよりも背面側に突出するように形成された保護筒１９１の先端は
、遊技盤１２４に形成された凹部１２４ｂに進入し、入り組んだ状態となる。前実施形態
と同様に、遊技盤１２４の前面において遊技盤通路１２４ａの開口を正面視において円周
状に取り囲むように凹部１２４ｂが形成されている。凹部１２４ｂの径は保護筒１９１の
径と同程度とされており、凹部１２４ｂの溝幅は保護筒１９１の厚みより余裕を持って大
きく形成されているため、保護筒１９１は凹部１２４ｂに対して水平に進入し、入り組ん
だ状態とすることができる。
【００４５】
このように、前面通路１３０と遊技盤通路１２４ａとの接続箇所の外側を囲むように保
護筒１９１を形成し、同保護筒１９１を遊技盤１２４に入り組ませることにより、保護筒
１９１によって前面通路１３０と遊技盤通路１２４ａとの接続箇所の外側から保護するこ
とができる。保護筒１９１を遊技盤１２４に入り組ませているため、両者間の隙間形状は
複雑となり、同隙間から異物が進入することが防止できる。また、前面通路の背面側端部
を構成する突出部１３０ａが凹部１２４ｂに挿入されるわけではないため、突出部１３０
ａの先端が遊技盤１２４に対して垂直になっている必要はない。従って、突出部１３０ａ
の先端まで傾斜させることができ、遊技盤通路１２４ａとのスムーズな接合を実現するこ
とができる。
【００４６】
（３）第三の実施形態：
図９は、第三の実施形態にかかる前面通路と本体側通路との接続箇所の断面を示してい
る。同図において、遊技盤２２４に水平（前後）方向の貫通穴２２４ｃが穿設されており
、同貫通穴２２４ｃに被進入部材２９０が装着されている。図１０は、被進入部材２９０
を斜めから見て示している。同図において、被進入部材２９０は略円盤状の鍔部２９１と
四角柱状の挿入部２９２を有している。鍔部２９１は挿入部２９２よりも広径に形成され
ており、その中央部に挿入部２９２が垂直に立設されている。図９に示すように、挿入部
２９２の内部には前後方向に貫通する矩形状の遊技盤通路２９２ａが形成されている。遊
技盤通路２９２ａは底面が傾斜させられており、遊技球を前面側に流下させることが可能
となっている。
【００４７】
図１０において鍔部２９１の中央部において遊技盤通路２９２ａが矩形状に開口してお
り、その外側を円周状に取り囲むように凹部２９１ａが形成されている。凹部２９１ａは
円形の溝状に形成されており、所定の幅および深さを有している。図９において、被進入
部材２９０は挿入部２９２が背面側に向かって貫通穴２２４ｃの内側に挿入されており、
鍔部２９１が貫通穴２２４ｃの前面側開口の周辺に密着している。貫通穴２２４ｃの幅お
よび高さは挿入部２９２よりもわずかに大きく形成されているため、挿入部２９２を貫通
穴２２４ｃに挿入したときに、鍔部２９１が貫通穴２２４ｃの前面側開口の周辺に当接す
る。鍔部２９１に形成された凹部２９１ａは前面側に対面する。挿入部２９２の先端は機
構板２１７まで到達し、機構板２１７に形成された機構板通路２１７ａと連続的に接続す
る。
【００４８】
そして、被進入部材２９０を装着した状態において、遊技領域が閉鎖されるようにガラ
ス枠２１３を回動させ、同ガラス枠２１３を遊技盤２２４に接近させていくと、前面通路
２３０をガラス枠２１３から背面側に突出させて形成した進入部２３０ａが鍔部２９１に
おいて前面側に対面する凹部２９１ａに進入し、入り組んだ状態となる。このように、遊
技盤２２４に被進入部材２９０を取り付け、同被進入部材２９０に対して前面通路２３０
を入り組ませるようにしてもよい。この場合であっても、第一の実施形態と同様に凹部２
９１ａと進入部２３０ａとからなる凹凸構造によって本体側通路Ａと前面通路２３０との
接続箇所を保護することができる。かかる構成とすることにより、遊技盤２２４の形状を
簡略化することができるため、遊技盤２２４の加工を簡易化することができる。なお、本
実施形態において遊技盤通路２９２ａと機構板通路２１７ａと通路２２０ａによって本体
側通路Ａが構成される。
【００４９】
（四）第四の実施形態：
図１１は、第四の実施形態にかかる前面通路と本体側通路との接続箇所の断面を示して
いる。同図において、前実施形態と同様に遊技盤３２４に水平（前後）方向の貫通穴３２
４ｃが穿設されている。そして、貫通穴３２４ｃの内側には機構板３１７を前面側に延設
して形成した延設部３１７ｃが挿入されている。延設部３１７ｃは四角柱状に形成されて
おり、中央に前後に貫通する機構板通路３１７ａが穿設されている。機構板通路３１７ａ
は底面が傾斜させられており、遊技球を前面側に流下させることが可能となっている。延
設部３１７ｃの前面側端部における機構板通路３１７ａの開口の外側には、同機構板通路
３１７ａの開口を円周状に囲む凹部３１７ｂが形成されている。
【００５０】
凹部３１７ｂは前面側に対面しているため、前実施形態と同様に遊技領域が閉鎖するよ
うにガラス枠３１３を回動させたときに、同ガラス枠３１３に取り付けられた前面通路３
３０の進入部３３０ａの進入を待ち受けることができる。従って、前実施形態と同様に、
前面通路３３０と本体側通路Ａとの接続箇所を外部から保護することができる。なお、本
実施形態において機構板通路３１７ａと通路３２０ａによって本体側通路Ａが構成される
。かかる構成によれば、部品点数を減少させることができるとともに、本体側通路Ａにお
ける接続箇所を減少させることができる。
【００５１】
（５）第五の実施形態：
図１２は、第四の実施形態にかかる前面通路と本体側通路との接続箇所の断面を示して
いる。同図において、前実施形態と同様に遊技盤４２４に水平（前後）方向の貫通穴４２
４ｃが穿設されている。そして、貫通穴４２４ｃに一端を挿入するように保護部材４９０
が取り付けられている。図１３は、保護部材４９０を斜めから見て示している。同図にお
いて、それぞれ軸方向を前後に配向させた略角柱状の挿入部４９１と略円柱状の保護部４
９３とが円盤フランジ状の鍔部４９２にて接続された形状となっている。鍔部４９２には
複数のネジ穴４９２ａ，４９２ａ，４９２ａが形成されている。
【００５２】
挿入部４９１の幅および高さは貫通穴４２４ｃよりもわずかに小さく形成されているた
め、図１２に示すように挿入部４９１を貫通穴４２４ｃに挿入することができる。挿入部
４９１を貫通穴４２４ｃに挿入すると、挿入部４９１の先端が機構板４１７に到達すると
ともに、鍔部４９２が遊技盤４２４における貫通穴４２４ｃの前面側開口の周囲に密着す
る。そして、ネジ穴４９２ａ，４９２ａ，４９２ａを利用して保護部材４９０を遊技盤４
２４に固定することができる。すると、保護部４９３は遊技盤４２４から前面側に向かっ
て垂直に突出することとなる。遊技盤４２４は鉛直に保持されているため、保護部４９３
の軸方向は水平となる。挿入部４９１と鍔部４９２と保護部４９３とに跨って保護通路４
９０ａが形成されている。
【００５３】
保護通路４９０ａは挿入部４９１の先端にて背面側に開口しており、同開口にて機構板
４１７に形成された機構板通路４１７ａと接続している。保護通路４９０ａは前面側に向
かって底面が低くなるように傾斜しており、保護部４９３の前面側の端部付近にて通路方
向が屈曲し、下方に開口している。これにより、機構板通路４１７ａから案内された遊技
球を保護部４９３まで流下させ、同保護部４９３の先端付近から下方に遊技球を放出する
ことができる。
【００５４】
図１４は、保護部材４９０を装着した状態において、遊技領域が閉鎖されるようにガラ
ス枠４１３を回動させた様子を示している。同図のように、ガラス枠４１３を遊技盤４２
４に接近させていくと、遊技盤４２４から前面側に突出する保護部４９３がガラス枠４１
３から前面側に突設された前面通路４３０の内側に挿入され、保護部４９３と前面通路４
３０とが入り組む。前面通路４３０の上方部分は、保護部４９３と同等の高さにてガラス
枠４１３と接続するとともに、軸方向が水平な円筒状に形成されている。前面通路４３０
の上方部分の内径は、保護部４９３の外形よりもわずかに大きく形成されているため、相
対的に水平移動する保護部４９３を前面通路４３０の内側に挿入させることができる。
【００５５】
遊技領域が完全に閉鎖されるまでガラス枠４１３を回動させると、保護部４９３と前面
通路４３０の屈曲位置が一致し、保護部４９３の先端付近に形成された下方の開口から前
面通路４３０の鉛直部分に遊技球を落下させることができる。
【００５６】
このように、前面通路４３０の内側まで保護部材４９０を入り組ませることにより、遊
技球の通路に対する異物の進入が防止できる。前面通路４３０は、ガラス枠４１３よりも
前面側に突設されるため、不正を行いやすい。しかしながら、少なくとも前面通路４３０
の上方部分については保護部４９３によって二重構造とすることができ、不正を防止する
ことができる。特に、前面通路４３０の上方部分について保護を強化することにより、同
上方部分と比較的近い位置に配置される払い出し装置４１９に対する不正を効果的に防止
することができ、遊技球の払い出し数が不正にコントロールされることが防止できる。な
お、保護部材４９０の素材として、金属を用いることにより、高い不正防止性を実現する
ことができる。
【００５７】
（６）第六の実施形態：
図１５は、第六の実施形態にかかる遊技機としてのパチロットを斜めから見て示してい
る。パチロット５１０は、スロットマシンにおけるメダルの代わりに遊技球を利用するも
のであり、例えば、パチンコ球の５個がメダル１個に相当して遊技を楽しむことができる
。パチロット５１０には、スロットマシンと同様に回転するドラム５２５ａが備えられて
いる。このようなパチロット５１０においても遊技媒体として遊技球が使用されるため、
遊技状態に応じて遊技球が払い出されることとなる。従って、パチロット５１０の窓枠５
１３に対して前面通路５３０を取り付けることができ、それにより、パチロット５１０の
背面側のスペースを広く確保することができる。窓枠５１３が本体部５１１に対して回動
可能に枢支された窓枠５１３には開口が形成されており、同開口から内側のドラム５２５
ａを視認することが可能となっている。かかる構成においても、窓枠５１３と本体部５１
１との間に入り組んだ状態の凹凸構造を形成することができる。
【００５８】
（７）まとめ：
本発明において、進入部３０ａを凹部２４ｂに進入する凹凸構造を設けることにより、
前面通路３０と本体側通路Ａとの接続箇所に対する異物の進入を防止することができる。
進入部３０ａと凹部２４ｂが噛み合うことにより、これらの間の隙間形状を略コの字状に
屈曲させることができる。従って、進入部３０ａの内側における遊技球が流通通路に対し
て外部から異物が進入することが防止できる。
【図面の簡単な説明】
【００５９】
【図１】第一の実施形態にかかるパチンコ遊技機の斜視図である。
【図２】前面通路およびガラス枠の鉛直断面図である。
【図３】第一の実施形態にかかるパチンコ遊技機の背面図である。
【図４】第一の実施形態にかかる凹凸構造を説明する断面図である。
【図５】第一の実施形態にかかる凹凸構造を説明する断面図である。
【図６】第二の実施形態にかかる凹凸構造を説明する断面図である。
【図７】第二の実施形態にかかる保護部材の斜視図である。
【図８】第二の実施形態にかかる凹凸構造を説明する断面図である。
【図９】第三の実施形態にかかる凹凸構造を説明する断面図である。
【図１０】被進入部材の斜視図である。
【図１１】第四の実施形態にかかる凹凸構造を説明する断面図である。
【図１２】第五の実施形態にかかる凹凸構造を説明する断面図である。
【図１３】第五の実施形態にかかる保護部材の斜視図である。
【図１４】第五の実施形態にかかる凹凸構造を説明する断面図である。
【図１５】第六の実施形態にかかるパチロットの斜視図である。
【符号の説明】
【００６０】
１０…パチンコ遊技機
１１…外枠
１２…本体枠
１３，１１３，２１３，３１３，４１３…ガラス枠
１４…上皿
１５…下皿
１６…発射ハンドル
１７，２１７，３１７，４１７…機構板
１７ａ，２１７ａ，３１７ａ，４１７ａ…機構板通路
１８…タンク １８ａ…タンクレール
１９，４１９…払い出し装置
２０…ガイド部材
２１…液晶ユニット
２２…保護カバー
２３…制御ボックス
２４，１２４，２２４，３２４…遊技盤
２４ａ，１２４ａ，２９２ａ…遊技盤通路
２４ｂ，１２４ｂ，２９１ａ，３１７ｂ…凹部
２５…遊技領域
３０，１３０，２３０，３３０，４３０…前面通路
３０ａ，２３０ａ，３３０ａ…進入部
３４…上皿通路
１３０ａ…突出部
１９０，４９０…保護部材
１９１…保護筒
１９２…取り付け部
２２４ｃ，３２４ｃ，４２４ｃ…貫通穴
２９０…被進入部材
２９１…鍔部
２９２，４９１…挿入部
４９２…鍔部
４９３…保護部
５１０…パチロット
５１３…窓枠
５２５ａ…ドラム
Ａ…本体側通路
【図１】
2008229400.tif 000003
【図２】
2008229400.tif 000004
【図３】
2008229400.tif 000005
【図４】
2008229400.tif 000006
【図５】
2008229400.tif 000007
【図６】
2008229400.tif 000008
【図７】
2008229400.tif 000009
【図８】
2008229400.tif 000010
【図９】
2008229400.tif 000011
【図１０】
2008229400.tif 000012
【図１１】
2008229400.tif 000013
【図１２】
2008229400.tif 000014
【図１３】
2008229400.tif 000015
【図１４】
2008229400.tif 000016
【図１５】
2008229400.tif 000017